(57)【要約】【課題】保護対象のデータを記憶するメモリーへの物理的なアクセスを検出できるようにする。【解決手段】フィスカルプリンター１は、印刷部１２と、印刷に関係する保護対象のデータを記憶するフィスカルメモリー２５、バッテリー２８、及び、バッテリー２８の電力により動作する検出回路６１を搭載したメモリー基板２６と、メモリー基板２６を封止するシート５１と、を備え、シート５１は易破断部を有し、さらに、検出用の導線と、前記バッテリーから前記検出回路に電力を供給する電力供給用の導線の少なくともいずれかが配置されており、検出回路６１は、シート５１に配置された導線の導通状態を検出する。【選択図】図２
2017094609.tif 000002
【特許請求の範囲】
【請求項１】
印刷部と、外部装置から受信したものであって印刷に関係する保護対象のデータを記憶するメモリー、バッテリー、及び、前記バッテリーの電力により動作する検出回路を搭載したメモリー基板と、前記メモリー基板を封止するシートと、を備え、
前記シートは易破断部を有し、さらに、検出用の導線と、前記バッテリーから前記検出回路に電力を供給する電力供給用の導線の少なくともいずれかが配置されており、
前記検出回路は、前記シートに配置された前記導線の導通状態を検出すること、
を特徴とするフィスカルプリンター。
【請求項２】
前記検出回路は、前記検出用の導線の非導通状態を検出した場合に、前記シートの破断を示すデータを前記メモリーに記録する請求項１に記載のフィスカルプリンター。
【請求項３】
前記検出回路は、電源電圧の低下を検出した場合に、前記シートの破断を示すデータを前記メモリーに記録する請求項１に記載のフィスカルプリンター。
【請求項４】
前記検出回路は、検出時刻を含むデータを前記メモリーに記録する請求項２又は３に記載のフィスカルプリンター。
【請求項５】
前記印刷部の制御に関わる制御基板を備え、
前記メモリー基板は、前記制御基板にケーブルで接続され、
前記シートは、前記ケーブルを通す通過用スリットを有する請求項１から４のいずれかに記載のフィスカルプリンター。
【請求項６】
前記制御基板は、前記メモリーに書き込むデータを前記メモリー基板に送出し、前記シートの破断を示すデータが前記メモリー基板に記録されている場合に、前記メモリー基板への前記メモリーに書き込むデータの送出を停止する請求項５に記載のフィスカルプリンター。
【請求項７】
前記検出用の導線の長さは、少なくとも前記シートの縦又は横の長さよりも大であることを請求項１から６に記載のフィスカルプリンター。
【請求項８】
前記電力供給用の導線の長さは、少なくとも前記シートの縦又は横の長さよりも大であることを請求項１から７に記載のフィスカルプリンター。
【発明の詳細な説明】
【技術分野】
【０００１】
本発明は、フィスカルプリンターに関する。
【背景技術】
【０００２】
従来、印刷に関係する保護対象のデータを記憶保持する機能を具備するフィスカルプリンターが知られている（例えば、特許文献１参照）。保護対象のデータ（フィスカルデータ）は、例えば、ＰＯＳ端末から受信し、レシートに印刷するための販売取引データである。フィスカルデータは徴税のために利用される。
特許文献１記載のフィスカルプリンターは、取り外し可能なフィスカル制御基板を備える。フィスカル制御基板には、フィスカルデータを記憶するメモリー、フィスカル制御基板の取り外しを検出する検出回路、記憶部を備えたリアルタイムクロックが搭載される。リアルタイムクロックは、フィスカル制御基板が取り外されると、検出回路から検出信号を入力し、フィスカル制御基板が取り外されたことを示すデータを、検出信号の入力時点の時刻と対応づけて記憶部に記憶する。
一般に、フィスカルデータを記憶するメモリーは、それらに記憶されたデータの改ざん等を防止するために、黒色のエポキシ樹脂によって覆われ、外部から不正にアクセスできないように構成される。
【先行技術文献】
【特許文献】
【０００３】
【特許文献１】特開２０１０−１３４５８０号公報
【発明の概要】
【発明が解決しようとする課題】
【０００４】
ところで、改ざん等の不正行為がなされる場合には、保護対象のデータを記憶するメモリーに物理的なアクセスが行われることがある。この物理的なアクセスを検出することができれば、改ざん等の不正行為を検出することができる。
そこで、本発明は、保護対象のデータを記憶するメモリーへの物理的なアクセスを検出できるようにすることを目的とする。
【課題を解決するための手段】
【０００５】
上記目的を達成するために、本発明のフィスカルプリンターは、印刷部と、外部装置から受信したものであって印刷に関係する保護対象のデータを記憶するメモリー、バッテリー、及び、前記バッテリーの電力により動作する検出回路を搭載したメモリー基板と、前記メモリー基板を封止するシートと、を備え、前記シートは易破断部を有し、さらに、検出用の導線と、前記バッテリーから前記検出回路に電力を供給する電力供給用の導線の少なくともいずれかが配置されており、前記検出回路は、前記シートに配置された前記導線の導通状態を検出すること、を特徴とする。
本発明によれば、保護対象のデータが記憶されているメモリー基板への物理的なアクセスが行われた場合、切り欠き形状等の易破断部によりシートが破断され、シートに配置された検出用の導線又は電力供給用の導線の導通状態が断線等により変化し易い。従って、検出回路により、保護対象のデータを記憶するメモリー基板への物理的なアクセスを検出できる。
【０００６】
また、本発明は、上記構成において、前記検出回路は、前記検出用の導線の非導通状態を検出した場合に、前記シートの破断を示すデータを前記メモリーに記録する。
本発明によれば、メモリー基板への物理的なアクセスを検出して破断を示すデータをメモリーに記録するので、メモリーに記録されるデータに基づいて、シートの破断の有無を特定できる。
【０００７】
また、本発明は、上記構成において、前記検出回路は、電源電圧の低下を検出した場合に、前記シートの破断を示すデータを前記メモリーに記録する。
本発明によれば、電源電圧の低下に基づいて、保護対象のデータを記憶するメモリー基板への物理的なアクセスを検出できる。そして、破断を示すデータをメモリーに記録するので、メモリーに記録されるデータに基づいて、シートの破断の有無を特定できる。
【０００８】
また、本発明は、上記構成において、前記検出回路は、検出時刻を含むデータを前記メモリーに記録する。
本発明によれば、検出時刻を含むデータに基づいてシートが破断された時間を特定できる。
【０００９】
また、本発明は、上記構成において、前記印刷部の制御に関わる制御基板を備え、前記メモリー基板は、前記制御基板にケーブルで接続され、前記シートは、前記ケーブルを通す通過用スリットを有する。
本発明によれば、メモリー基板をシートで覆いつつ制御基板に容易に接続できる。
【００１０】
また、本発明は、上記構成において、前記制御基板は、前記メモリーに書き込むデータを前記メモリー基板に送出し、前記シートの破断を示すデータが前記メモリー基板に記録されている場合に、前記メモリー基板への前記メモリーに書き込むデータの送出を停止する。
本発明によれば、シートの破断が検出される場合には、メモリーに書き込むデータの送出が停止されるので、改ざんの可能性がある場合に、メモリーへの記録を中断できる。
【００１１】
また、本発明は、上記構成において、前記検出用の導線の長さは、少なくとも前記シートの縦又は横の長さよりも大である。
本発明によれば、破断によるシートの切れ目が検出用の導線を横断し易くなる。
【００１２】
また、本発明は、上記構成において、前記電力供給用の導線の長さは、少なくとも前記シートの縦又は横の長さよりも大である。
本発明によれば、破断によるシートの切れ目が電力供給用の導線を横断し易くなる。
【図面の簡単な説明】
【００１３】
【図１】本発明を適用した実施形態に係るフィスカルプリンターの斜視図。
【図２】フィスカルプリンターの機能ブロック図。
【図３】フィスカルモジュールのモジュール本体の分解斜視図。
【図４】シートと検出回路を周辺構成と共に模式的に示した図。
【図５】シートとメモリー基板とを模式的に示した図。
【図６】図６（Ａ）及び図６（Ｂ）は変形例に係るシートを示した図。
【発明を実施するための形態】
【００１４】
以下、図面を参照して本発明の実施形態について説明する。
図１は、本発明を適用した実施形態に係るフィスカルプリンター１の構成を示す斜視図である。
フィスカルプリンター１（以下、プリンター１と表記する。）は、不図示のＰＯＳ端末等に接続される会計用のプリンターであり、プリンター本体２と、プリンター本体２に装着されるフィスカルモジュール３とを備える。
プリンター本体２は、ＰＯＳ端末から販売取引に関する印刷データを受信し、受信した印刷データに基づきレシートを印刷（発行）する印刷機能を実現するハードウェアである。このプリンター本体２は、前方から内部にアクセス可能にする前蓋２Ａと、上方から内部にアクセス可能にする上面蓋２Ｂとを備える。
【００１５】
上面蓋２Ｂは、印刷媒体、例えば、感熱ロール紙を交換する際に開けられる開閉蓋である。前蓋２Ａは、印刷に用いるインク、例えば、インクリボンを交換する際に開けられる開閉蓋である。
プリンター本体２の上面には、印刷された印刷媒体の排出口、つまり、レシートを排出するレシート排出口２Ｃが設けられる。また、プリンター本体２の表面には、上面蓋２Ｂを閉状態に保持するロック機構のロックを解除する操作子２Ｄ、及び電源のオン指示又はオフ指示等のユーザー指示を入力する操作子（図示略）等が設けられる。
【００１６】
フィスカルモジュール３は、フィスカルデータ（保護対象のデータ）を記憶して保持する等のフィスカル機能を実現するハードウェアである。ここで、フィスカルデータは、印刷に関する保護対象のデータであり、例えば、ＰＯＳ端末から受信し、レシートに出力するための販売取引に関する情報等からなる。但し、フィスカルデータは徴税のために使用されるので、その具体的内容は、プリンター１が使用される国の法令に従って定められる。
フィスカルモジュール３は、フィスカルモジュール３の外装体を構成する樹脂製のケース４と、ケース４に収容されるモジュール本体５（後述する図３）とを備える。
【００１７】
ケース４は、有底箱状の下ケース４Ａと、下ケース４Ａの蓋部となる上ケース４Ｂとを備え、下ケース４Ａと上ケース４Ｂとによって直方体の箱体を形成する。このケース４は、プリンター本体２の下部に設けられた空間２Ｋに配置され、プリンター本体２に固定される。なお、図１中、符号６は、ケース４の上面に固定されるフレームである。
このケース４によって後述するモジュール本体５の前後左右及び上下が覆われる。但し、ケース４の一部には、内部に収容されたモジュール本体５の一部を露出させる開口部４Ｃが形成され、この開口部４Ｃを介して、モジュール本体５に設けられたインターフェース部７が外部に露出する。
【００１８】
インターフェース部７は、ＰＯＳ端末及び政府サーバー等と通信するための通信ケーブル等が接続される。ここで、政府サーバーは、政府の国税局など徴税を管轄する部署によって管理されるサーバーシステム（コンピューターシステム）であり、プリンター１に記憶されたフィスカルデータ（販売取引データ）の管理等を行うサーバーである。
また、このインターフェース部７、或いはプリンター１の別の箇所には、不図示の電源ケーブルが接続され、交流電力（電灯線からの交流電力、例えば、家庭用電力）がプリンター１の動作電力として供給される。
【００１９】
図２は、プリンター１の機能ブロック図である。
プリンター本体２は、ユーザー指示を入力する入力部１１と、印刷を行う印刷部１２とを備える。フィスカルモジュール３は、プリンター制御部２１が実装されたプリンター制御基板２２と、フィスカル制御部２３及びインターフェース部７が実装されたフィスカル制御基板２４とを備える。また、フィスカルモジュール３は、フィスカルメモリー２５が実装されたメモリー基板２６を備える。
入力部１１は、プリンター１が備える各種操作子の操作を検出し、操作に対応する信号を出力する。この信号は、フィスカル制御部２３を経由してプリンター制御部２１に出力される。
【００２０】
印刷部１２は、印刷媒体に印刷する装置であり、搬送モーター１２Ａと、印刷ヘッド１２Ｂと、搬送モーター１２Ａと印刷ヘッド１２Ｂとをそれぞれ駆動するドライバー回路１２Ｃ、１２Ｄとを備える。
ドライバー回路１２Ｃは、プリンター制御部２１の制御の下、搬送モーター１２Ａに駆動電流を供給し、搬送モーター１２Ａを回転させる。この搬送モーター１２Ａは、印刷媒体を搬送させる駆動源であり、ステッピングモーターで構成することができる。例えば、ドライバー回路１２Ｃは、搬送モーター１２Ａに対して駆動パルス及び駆動電流を出力することによって印刷媒体を搬送させる。
【００２１】
ドライバー回路１２Ｄは、プリンター制御部２１の制御の下、印刷ヘッド１２Ｂを駆動する。印刷ヘッド１２Ｂは、例えば、複数の発熱素子を有するサーマルヘッドである。ドライバー回路１２Ｄは、プリンター制御部２１の制御の下、印刷データに基づいて印刷ヘッド１２Ｂが備える個々の発熱素子に通電し、通電された発熱素子に対応する印刷媒体（感熱ロール紙）の箇所を発色させる。これにより、印刷データに対応する画像が印刷媒体に印刷される。
【００２２】
プリンター制御部２１及びフィスカル制御部２３は、演算処理を行うプロセッサー（図示せず）と、プロセッサーが実行するプログラム等を記憶するメモリー等の周辺回路（図示せず）とによって構成される。例えば、プリンター制御部２１、及びフィスカル制御部２３は、マイコン、ＳＯＣ（System-on-a-chip）又はＣＰＵで構成することができる。
プリンター制御部２１は、プリンター本体２の印刷部１２を制御する。具体的には、プリンター制御部２１は、ＰＯＳ端末から受信した販売取引データから印刷データを生成し、フィスカル制御部２３から印刷指示を受けると、印刷データに基づき印刷部１２を制御する。これによって、印刷データに対応する画像が印刷される。
【００２３】
フィスカル制御部２３は、インターフェース部７を介してＰＯＳ端末（図示せず）から販売取引データを受信し、販売取引データから生成した印刷データに基づく印刷をプリンター制御部２１に指示する。これによって、フィスカル制御部２３は、プリンター制御部２１を介して印刷部１２を制御する。
フィスカルメモリー２５は、フィスカルデータを記憶するメモリーであり、フラッシュメモリー等の不揮発性メモリーで構成される。
【００２４】
また、フィスカル制御部２３は、ＰＯＳ端末及び政府サーバーに対する応答処理、フィスカルデータの取得、及び、フィスカルメモリー２５へのフィスカルデータの書き込み等も行う。さらに、フィスカル制御部２３は、政府サーバーから受信したキー情報に基づいてプリンター１を起動させず、これによってプリンター１を動作停止状態にする機能も備える。
【００２５】
また、フィスカル制御部２３は、後述する検出回路６１によってメモリー基板２６（フィスカルメモリー２５）への不正アクセスが検出された場合、予め定めた対応処理を行う機能も備える。この対応処理は、フィスカルデータの送出停止、プリンター１の起動停止、及び、メモリー基板２６へのフィスカルメモリー２５に書き込むデータの送出停止等である。
【００２６】
ところで、フィスカルデータの改ざん等の不正行為を行うには、フィスカルメモリー２５へのアクセスが必要になる。そこで、本実施形態のプリンター１は、メモリー基板２６を封止するシート５１と、このシート５１の破断を検出する検出回路６１とを備え、メモリー基板２６への物理的なアクセスを検出する。以下、シート５１、検出回路６１及びその周辺構成について説明する。
図３はフィスカルモジュール３のモジュール本体５の分解斜視図である。
モジュール本体５は、上方が開口する有底箱状の金属ケース９を備え、この金属ケース９内に、プリンター制御基板２２と、シート５１に覆われたメモリー基板２６とを収容する。
【００２７】
フィスカル制御基板２４は、プリンター制御基板２２及びメモリー基板２６よりも大型の基板に形成され、金属ケース９の上方に開口する開口部を覆うように配置される。
詳述すると、金属ケース９は、矩形板状の底板部９Ａの各辺から上方に起立する４つの側板部９Ｂ、９Ｃ、９Ｄ、９Ｅを有し、対向する２つの側板部９Ｃ、９Ｄの上部に、内側に折り曲げられた複数の屈曲部９Ｆが設けられる。これら屈曲部９Ｆは、上面視で金属ケース９の４つの角部に相当する位置に設けられ、これら屈曲部９Ｆにフィスカル制御基板２４が載置される。フィスカル制御基板２４は、不図示の締結部材によって、金属ケース９又はフィスカル制御基板２４のケース４（図１）に固定される。
【００２８】
同図３に示すように、フィスカル制御基板２４の下面には、メモリー基板２６から延びるケーブル２６Ａ、及び、プリンター制御基板２２から延びるケーブルが接続されるコネクター（図示せず）が設けられる。なお、メモリー基板２６から延びるケーブル２６Ａは、フレキシブル配線である。
フィスカル制御基板２４の下面には、インターフェース部７（図１、図２）も実装される。インターフェース部７は、側板部９Ｄに設けられた開口部９Ｇから外部に露出する。
【００２９】
フィスカル制御基板２４は、外部接続用のコネクター２４Ｊ、２４Ｋを備える。これらコネクター２４Ｊ、２４Ｋは、プリンター本体２等と電気的に接続するためのコネクターである。一方のコネクター２４Ｊは、側板部９Ｂに設けられた開口部９Ｈから外部に露出する。他方のコネクター２４Ｋは、フィスカル制御基板２４の上面に設けられる。
【００３０】
図４はシート５１と検出回路６１を周辺構成と共に模式的に示した図である。
シート５１は、可撓性を有するシートであり、２本の導線５２、５３を構成する配線パターンが設けられる。
このシート５１は、公知のフレキシブル配線基板と同様の構造であり、可撓性を有する絶縁性の基材フィルムに、各導線５２、５３となる導体をパターニングすることによって形成される。基材フィルムは、例えば、ポリイミド系樹脂、ポリエステ系樹脂などの樹脂フィルムである。導体は、例えば、銅、又は銅箔等の金属箔である。２本の導線５２、５３は、接着層を介して基材フィルムに取り付けられ、接着層と反対側の面に絶縁層が設けられる。
【００３１】
シート５１は、メモリー基板２６を包むことが可能な矩形のメインシート部５１Ａと、メインシート部５１Ａから突出するサブシート部５１Ｂとを一体に備える。図４には、説明の便宜上、シート５１の横方向を符号Ｘで示し、シートの縦方向を符号Ｙで示す。この縦横方向は、便宜上定めた方向である。
２本の導線５２、５３は、それぞれ所定の配線のパターンに従って設けられることにより、互いに間隔をあけてシート５１上を横方向及び縦方向に延びる。この配線のパターンは、図４に示すように、２本の導線５２、５３を、メインシート部５１Ａの略全体に配設するパターンであって、各導線５２、５３の両端部分をサブシート部５１Ｂに位置させるパターンである。
【００３２】
より具体的には、２本の導線５２、５３は、互いに近接して平行に配置される配線のパターンに従う。このパターンにより、２本の導線５２、５３は、サブシート部５１Ｂに位置する一端部５２Ａ、５３Ａから、メインシート部５１Ａに向けて直線状に延びてメインシート部５１Ａ内に入る。
次いで、２本の導線５２、５３は、メインシート部５１Ａの外周縁から所定の隙間Ｗ１を空けた領域ＡＲ０内にレイアウトされる。この領域ＡＲ０内では、２本の導線５２、５３は、図４中の紙面上方から下方に向けて横方向（Ｙ方向）への往復を繰り返し、領域ＡＲ０全体内にレイアウトされる。
続いて、２本の導線５２、５３は、領域ＡＲ０内からサブシート部５１Ｂに入り、サブシート部５１Ｂ内を直線状に延び、各導線５２、５３の他端部５２Ｂ、５３Ｂが一端部５２Ａ、５３Ａの近傍にレイアウトされる。
シート５１に配線される２本の導線５２、５３は、いずれかのみであってもよい。
【００３３】
シート５１の外周縁（隙間Ｗ１に対応する領域）には、シート５１内側に向けて延びるスリット５１Ｓが間隔を空けて形成される。これらスリット５１Ｓは、外周縁から離れるに従って幅狭となる先端鋭角のスリット（「切り欠き」とも言う）に形成され、シート５１の破断を誘発する易破断部として機能する。
これらスリット５１Ｓにより、メモリー基板２６を覆うシート５１への物理的なアクセスがあった場合に、スリット５１Ｓの箇所でシート５１が容易に破断する。
【００３４】
本構成では、図４に示すように、２本の導線５２、５３のいずれもシート５１の縦及び横の長さよりも長く、シート５１を縦方向及び横方向の両方に渡って配置される。従って、いずれかのスリット５１Ｓの箇所でシート５１が破断すると、破断によるシート５１の裂け目が、２本の導線５２、５３を横断し易くなる。
しかも、２本の導線５２、５３は各スリット５１Ｓ近傍に配置され、かつ、各スリット５１Ｓが、近傍の導線５２、５３に直交して導線５２、５３に向けて破断を誘発する。これにより、スリット５１Ｓの箇所でシート５１が破断すると、即座に導線５２、５３のいずれかを破断させ易くなる。従って、導線５２、５３の箇所で効率良く破断を誘発することができる。
【００３５】
これらスリット５１Ｓは、人の力が加わったときシート５１の破断を誘発する形状であれば他の形状を適用しても良い。例えば、他の先端凸のスリット形状でも良いし、一定の幅を有する線状のスリット形状でも良いし、いわゆるミシン目でも良い。へこみ、切れ目、段差などでもよい。また、これらの形状がシート５１の一部にあってもよい。
また、本構成では、メインシート部５１Ａとサブシート部５１Ｂとの両方にスリット５１Ｓが形成される。従って、両方のシート部５１Ａ、５１Ｂの破断を誘発でき、各シート部５１Ａ、５１Ｂにて導線５２、５３の破断を誘発することができる。なお、サブシート部５１Ｂのスリット５１Ｓについては省略しても良い。
【００３６】
検出回路６１は、２本の導線５２、５３と、リアルタイムクロック２７（以下、「ＲＴＣ２７」と表記する）と、ＲＴＣ２７に動作電力を供給するバッテリー２８とを用いてシート５１の破断を検出する回路である。図２に示すように、検出回路６１、ＲＴＣ２７及びバッテリー２８は、メモリー基板２６に実装される。
ＲＴＣ２７は、年、月、日、時、分及び秒からなる現在時刻（日時とも言う）を計時する回路であり、低消費電力で動作可能な回路である。このＲＴＣ２７は、電源を入力する電源入力端子２７Ａと、イベントを入力するイベント端子２７Ｂとを有する。
【００３７】
バッテリー２８は、バックアップ用の一次電池であり、このバッテリー２８の電力がＲＴＣ２７の電源入力端子２７Ａに供給される。これにより、ＲＴＣ２７は、プリンター１に交流電力（電灯線からの交流電力）が供給されていない間でも、現在時刻の計時などの動作を行うことができる。
【００３８】
図４に示すように、２本の導線５２、５３のうちの一方の導線５２は、ＲＴＣ２７のイベント端子２７Ｂに接続され、検出用の導線として機能する。より具体的には、この一方の導線５２（以下、「検出用導線５２」と表記する。）の一端は、イベント端子２７Ｂに接続され、他端は接地される。また、検出用導線５２は、抵抗６３を介してバッテリー２８の正極に接続される。なお、抵抗６３は、イベント端子２７Ｂの論理レベルをＨレベルにする電圧を得るための調整用抵抗である。
この構成により、検出用導線５２が破断していない場合、イベント端子２７Ｂの論理レベルはＬレベルであり、検出用導線５２が断線した場合に、イベント端子の論理レベルはＨレベルに切り替わる。
【００３９】
ＲＴＣ２７は、イベント端子２７Ｂの論理レベルがＨレベルに切り替わると、少なくとも現在時刻を含むデータを、フィスカルメモリー２５の予め定められた領域に書き込む機能を備える。これによって、検出用導線５２が非導通状態に切り替わると、現在時刻を含むデータがフィスカルメモリー２５に記録される。
この場合、フィスカルメモリー２５に記録するデータは、検出日時（年、月、日、時刻の少なくとも一つ以上）だけでも良いし、他のデータを含めても良い。例えば、他のデータは、シート５１の破断であることを示すデータ、又は、検出用導線５２の断線であることを示すデータを採用することが考えられる。
このようにして、ＲＴＣ２７、検出用導線５２及び抵抗６３によって、検出用導線５２の導通状態を検出し、導通状態の変化が生じた場合に、シート５１の破断を示すデータをフィスカルメモリー２５に記録する検出回路６１が構成される。
【００４０】
また、２本の導線５２、５３のうちの他方の導線５３は、バッテリー２８の電力をＲＴＣ２７の電源入力端子２７Ａに供給する電力供給用の導線として機能する。より具体的には、この導線５３（以下、「電力供給用導線５３」と表記する。）の一端は、バッテリー２８の正極に接続され、他端がＲＴＣ２７の電源入力端子２７Ａに接続される。このため、電力供給用導線５３が断線した場合に、ＲＴＣ２７の動作電力が絶たれる。
このＲＴＣ２７は、電源入力端子２７Ａに供給される電圧が、予め定めた閾値Ｋ１を下回った場合に、少なくとも現在時刻を含むデータを、フィスカルメモリーの予め定められた領域に書き込む機能を備える。ここで、上記閾値Ｋ１は、断線していないときの電圧値よりも低い値であって、ＲＴＣ２７が動作可能な範囲内の値に設定される。これにより、電力供給用導線５３が完全に断線する前に、ＲＴＣ２７がフィスカルメモリー２５への書き込みを完了することができる。
【００４１】
つまり、ＲＴＣ２７は、電源電圧の低下を検出すると、検出日時を含むデータをフィスカルメモリー２５に記録する。このようにして、ＲＴＣ２７及び電力供給用導線５３によって、電源電圧の低下を検出した場合に、シート５１の破断を示すデータをフィスカルメモリー２５に記録する検出回路６１が構成される。
この場合も、フィスカルメモリー２５に記録するデータは、検出日時（年、月、日、時刻の少なくとも一つ以上）だけでも良いし、他のデータを含めても良い。例えば、他のデータは、シート５１の破断であることを示すデータ、又は、電力供給用導線５３の断線であることを示すデータを採用することが考えられる。
【００４２】
フィスカルメモリー２５に上記データが書き込まれた場合、フィスカル制御部２３は、予め定められた対応処理を行う。
具体的には、フィスカル制御部２３は、外部からフィスカルデータの出力が要求された場合に、フィスカルメモリー２５に記録されたフィスカルデータの送出は行わない（フィスカルデータの送出停止）。また、フィスカル制御部２３は、プリンター１を起動する際、フィスカルメモリー２５に上記データが記録されている場合、起動処理を停止し、プリンター１を動作停止状態にする（プリンター１の起動停止）。また、フィスカル制御部２３は、メモリー基板２６へのフィスカルメモリー２５に書き込むデータの送出を停止する。ブザーや液晶画面などの報知部を設け、シート５１の破断があった旨を報知してもよい。ＰＯＳ端末にシート５１の破断を示すデータを送ってもよい。これらのいずれの対応処理を実行するかは、ユーザー等が適宜に設定すれば良い。
なお、対応処理は上記の処理に限らない。例えば、政府サーバーに対し、シート５１の破断が生じたことを通知する通信処理を行うようにしても良い。
【００４３】
図５は、シート５１とメモリー基板２６とを模式的に示した図である。
シート５１のメインシート部５１Ａは、縦方向（Ｙ方向）に二分割する位置を基準にして二つ折りされることによって、メモリー基板２６の全面を覆うことができる。また、シート５１のサブシート部５１Ｂは、二つ折りされるメインシート部５１Ａの内側に折り曲げられる。これによって、サブシート部５１Ｂに設けられた各導線５２、５３の両端部５２Ａ、５２Ｂ、５３Ａ及び５３Ｂが、メモリー基板２６に設けられた導通部２６Ｓに接触する。
【００４４】
導通部２６Ｓは、メモリー基板２６と各導線５２、５３とを電気的に接続する箇所であり、例えば、導電パッドである。なお、導通部２６Ｓに代えて、サブシート部５１Ｂに、各導線５２、５３のそれぞれに電気的につながる接続端子を設け、メモリー基板２６に、その接続端子が接続されるコネクターを設けるようにしても良い。
本構成では、メインシート部５１Ａから延びるサブシート部５１Ｂを屈曲させて各導線５２、５３とメモリー基板２６とを電気的に接続するので、シート５１に配設される導線５２、５３とメモリー基板２６との接続を容易に行うことができる。また、サブシート部５１Ｂが柔軟性を有するので、メモリー基板２６の位置ずれを許容できる。
【００４５】
ここで、サブシート部５１Ｂを屈曲させた後に、メインシート部５１Ａは二つ折され、接着等を用いて接合方法を用いてメモリー基板２６を包んだ状態に保持される。図３に示すように、メインシート部５１Ａは、メモリー基板２６から延びてフィスカル制御基板２４に接続されるケーブル２６Ａを通す通過用スリット５５を備える。
これにより、メモリー基板２６をシート５１に包んだ状態で、ケーブル２６Ａを介してメモリー基板２６とフィスカル制御基板２４とを容易に接続することが可能である。シート５１に包まれたメモリー基板２６は、モジュール本体５の金属ケース及びフィスカル制御基板２４で囲われ、且つ、その周囲が図１に示すケース４で囲われるので、外部からメモリー基板２６への物理的アクセスが困難である。
【００４６】
以上説明したように、本実施形態に係るプリンター１は、フィスカルメモリー２６、バッテリー２８、及びバッテリー２８の電力で動作する検出回路６１を搭載したメモリー基板２６と、メモリー基板２６を封止するシート５１とを備える。そして、シート５１は、検出用導線５２と、検出回路６１に電力を供給する電力供給用導線５３と、これら導線５２、５３のいずれかの箇所でシート５１の破断を誘発するスリット５１Ｓとを有する。また、検出回路６１は、シート５１に配置された検出用導線５２の導通状態を検出する。
この構成により、フィスカルメモリー２５を搭載するメモリー基板２６への物理的なアクセスが行われた場合、スリット５１Ｓによりシート５１の破断を生じさせ易くし、導線５２、５３の導通状態を変化させ易くなる。従って、検出回路６１によりフィスカルメモリー２５への物理的なアクセスがあったことを検出できる。
【００４７】
しかも、検出回路６１がバッテリー２８の電力で動作するので、プリンター１に外部電源の電力（電灯線からの交流電力）が供給されていない場合でも、フィスカルメモリー２５への物理的なアクセスがあったことを検出できる。
また、シート５１の破断の検出に用いる構成が全てメモリー基板２６に実装され、且つ、シート５１に覆われるので、メモリー基板２６と他の基板（フィスカル制御基板２４）との接続を絶った状態でもシート５１の破断を検出できる。
【００４８】
また、検出回路６１は、検出用導線５２の非導通状態を検出した場合に、シート５１の破断を示すデータである検出日時（検出時刻）を含むデータを、フィスカルメモリー２６に記録する。これによって、フィスカルメモリー２６に、上記データが記憶されているか否かに応じて、シート５１の破断の有無を特定できる。従って、フィスカルデータの改ざんの痕跡を残すことができる。
また、検出回路６１は、電力供給用導線５３を介して供給される電源電圧の低下を検出した場合にも、シート５１の破断を示すデータである検出日時（検出時刻）を含むデータをフィスカルメモリー２６に記録する。これにより、シート５１に配置された検出用導線５２及び電力供給用導線５３の両方を用いてシート５１の破断を検出でき、検出精度の向上を図り易くなる。
シート５１上に２本の導線５２、５３のいずれかのみを配線し、導通状態を検出するようにしても良い。一方によっても、シート５１の破断を検出できる。
【００４９】
また、検出回路６１は、検出日時（検出時刻）を含むデータをフィスカルメモリー２６に記録するので、シート５１が破断された日時（時刻）を特定できる。これにより、フィスカルデータの改ざん日時を特定できる。
しかも、低消費電力で動作し、且つ、バッテリー２８の電力で動作するＲＴＣ２７を備え、このＲＴＣ２７によって計時された日時を検出日時として取得する。従って、プリンター１に家庭用電力などの外部電力が供給されていない場合でも、正確な検出日時を記録することができる。
【００５０】
また、メモリー基板２６は、印刷部１２の制御に関わるフィスカル制御基板２４にケーブル２６Ａ（図２）で接続され、シート５１は、ケーブル２６Ａを通す通過用スリット５５（図２）を備える。これにより、シート５１に覆われたメモリー基板２６をフィスカル制御基板２４に容易に接続できる。
また、フィスカル制御基板２４は、フィスカルメモリー２６に書き込むデータであるフィスカルデータを送出する機能を備える。但し、フィスカル制御基板２４は、シート５１の破断を示す上記データがフィスカルメモリー２６に記録されている場合、フィスカルメモリー２６へのフィスカルデータの送出を停止する。従って、改ざんの可能性がある場合に、フィスカルメモリー２６への記録を中断できる。
【００５１】
また、シート５１に配置される検出用導線５２の長さは、シート５１の縦及び横の長さよりも大であるので、破断によるシート５１の切れ目が検出用導線５２を横断し易くなる。
また、シート５１に配置される電力供給用導線５３の長さについても、シート５１の縦及び横の長さよりも大であるので、破断によるシート５１の切れ目が電力供給用導線５３を横断し易くなる。
【００５２】
なお、上述した実施形態は、本発明の好適な実施形態を示すものであり、本発明を限定するものではなく、本発明の要旨を逸脱しない範囲内において種々の変形実施が可能である。例えば、上記実施形態では、シート５１への検出用導線５２及び電力供給用導線５３のレイアウト（配線パターン）は上記態様に限定されない。
【００５３】
図６（Ａ）及び図６（Ｂ）は、変形例に係るシート５１を示した図である。なお、上述した構成と同様の構成は同一の符号を示す。
図６（Ａ）は、上記実施形態（図４参照）と比べて、検出用導線５２及び電力供給用導線５３の横方向（Ｙ）方向への往復回数を減らした態様を示す。なお、図４では８往復であり、図６（Ａ）では３往復である。これによって、これら導線５２、５３の長さが短くなる。この図６（Ａ）に示す構成でも、各スリット５１Ｓの近傍に導線５２、５３が配置されるので、スリット５１Ｓにより導線５２、５３のいずれかの箇所でシート５１の破断を誘発することができる。
【００５４】
また、図６（Ａ）に示すシート５１は、シート５１の外周縁から離れた位置でシート５１の破断を誘発する易破断部として機能する他のスリット５１ＳＳを備える。他のスリット５１ＳＳは、シート５１の外周縁から離れた位置でいずれかの導線５２、５３の近傍に位置し、且つ、近傍の導線５２、５３に対して垂直方向に延びる先端凸のスリット形状に形成される。これにより、シート５１の外周縁から離れた位置でも、導線５２、５３の箇所でシート５１の破断を効率良く誘発することができる。また、図６（Ａ）に示す構成は、導線５２、５３の長さが相対的に短く済むので、シート５１の柔軟性を確保し易く、メモリー基板２６を包み易くなる。
【００５５】
また、図６（Ｂ）は、検出用導線５２及び電力供給用導線５３を、シート５１の外周縁近傍だけに配置した態様を示す。また、この図６（Ｂ）の構成でも、シート５１の外周縁から離れた位置に複数のスリット５１ＳＳが配置される。図６（Ｂ）に示す構成によっても、シート５１の縦方向及び横方向に渡って導線５２、５３が配置され、シート５１がいずれの方向に破断した場合でも、導線５２、５３を破断させることができる。また、各スリット５１Ｓ、５１ＳＳにより導線５２、５３の箇所でシート５１の破断を効率良く誘発することができる。
【００５６】
また、上記変形例では、スリット５１Ｓ、５１ＳＳの両方を設ける場合を説明したが、スリット５１Ｓ、５１ＳＳのいずれかを省略しても良いし、各スリット５１Ｓ、５１ＳＳの位置、配置間隔及び形状についても変更しても良い。
また、導線５２、５３の長さやレイアウトも適宜に変更可能である。但し、導線５２、５３の長さは、少なくともシート５１の縦又は横の長さよりも大であることが好ましい。この長さにすることによって、シート５１が縦方向又は横方向に破断した場合に、導線５２、５３を破断させ易くなる。
【００５７】
また、本発明を適用可能なプリンター１は、図１及び図２等に示す構成、及び形状に限定されない。本発明は、公知のフィスカルプリンターに広く適用可能である。
【符号の説明】
【００５８】
１…フィスカルプリンター、２…プリンター本体、３…フィスカルモジュール、４…ケース、５…モジュール本体、７…インターフェース部、１１…入力部、１２…印刷部、２１…プリンター制御部、２２…プリンター制御基板、２３…フィスカル制御部、２４…フィスカル制御基板、２５…フィスカルメモリー、２６…メモリー基板、２６Ａ…ケーブル、２６Ｓ…導通部、２７…リアルタイムクロック（ＲＴＣ）、２７Ａ…電源入力端子、２７Ｂ…イベント端子、２８…バッテリー、５１…シート、５１Ａ…メインシート部、５１Ｂ…サブシート部、５１Ｓ、５１ＳＳ…スリット（易破断部）、５２…検出用導線、５３…電力供給用導線、６１…検出回路、６３…抵抗。
【図１】
2017094609.tif 000003
【図２】
2017094609.tif 000004
【図３】
2017094609.tif 000005
【図４】
2017094609.tif 000006
【図５】
2017094609.tif 000007
【図６】
2017094609.tif 000008